(57)【要約】【目的】携帯可能であり、また靴を履いているのと大差ない外観を備え、しかも様々な靴のサイズに対応可能なオーバーシューズを提供すること。【構成】請求項１に記載のオーバーシューズは、アッパーのつま先部にのみ本底を設けて構成した請求項２に記載のオーバーシューズは、アッパーをニット生地で形成した。請求項３に記載のオーバーシューズは、請求項１又は請求項２に記載の考案において、本底をゴム素材で形成すると共に、該本底の上面に靴巾方向に複数の切込みを設けて構成した。請求項４に記載のオーバーシューズは、請求項１乃至請求項３いずれかに記載の考案において、アッパーをつま先部と踵部に分割し、つま先部は高さ方向に伸縮可能に形成し、踵部は長さ方向に伸縮可能に形成した。【選択図】  図１
0003220701.tif 000002
【実用新案登録請求の範囲】
【請求項１】
アッパーのつま先部分にのみ本底を設けたオーバーシューズ。
【請求項２】
アッパーをニット生地で形成した請求項１に記載のオーバーシューズ。
【請求項３】
本底をゴム素材で形成すると共に、該本底の上面に滑り止め部を設けた請求項１又は請求項２に記載のオーバーシューズ。
【請求項４】
アッパーをつま先部と踵部に分割し、つま先部は高さ方向に伸縮可能形成し、踵部は長さ方向に伸縮可能に形成した請求項１乃至請求項３いずれかに記載のオーバーシューズ。
【考案の詳細な説明】
【技術分野】
【０００１】
本考案はオーバーシューズ、すなわち雨のときなど、防水用に靴の上に履く靴に関する。
【背景技術】
【０００２】
従来、雨天や降雪の際に靴を濡らさないように保護するために用いられているオーバーシューズは、例えば、特許文献２に記載されているような、ゴム製やビニル製のものが一般的である。
【０００３】
図４は、従来用いられているオーバーシューズの一例を示すものであって、同図に示すように、オーバーシューズ１は、樹脂製のアッパー２に本底３を一体成型してあり、開口部４から靴を挿入するようになっている。
【０００４】
図５もまた、従来用いられているオーバーシューズの一例を示すものであって、同図に示すように、オーバーシューズ５は、全体がポリフィルムで袋状に形成されており、ゴム入りの伸縮自在の開口部６から靴を挿入するようになっている。
【０００５】
特許文献１には、伸縮性及び防水性を備えた素材で作った、底のない靴型のカバーが開示されている。
【先行技術文献】
【特許文献】
【０００６】
【特許文献１】特開２０１１−５０７０５号公報
【特許文献２】特開平１０−１０１号公報
【考案の開示】
【考案が解決しようとする課題】
【０００７】
図４に示されるアッパーと本底を一体成型した従来のオーバーシューズは、浸水の恐れが無くカバーする必要のないヒール部分まで覆うものであり、靴のうえからさらに靴を履くのと差異が無く、足元が大きく見え過ぎてビジネスに向かないという欠点を有する。更には、本底がアッパーの底面全体に存するので、折畳むことができず、嵩張ってしまい、あやふやな天気や出張時の備えとして持ち運びには向かないといった欠点があった。
【０００８】
図５に示される従来のオーバーシューズは、ビニール袋を履いているのと変わりない外観となり、見栄えが良くないという欠点があった。
【０００９】
そこで本考案は、携帯可能であり、また靴を履いているのと大差ない外観を備え、しかも様々な靴のサイズに対応可能なオーバーシューズを提供することを目的とする。
【課題を解決するための手段】
【００１０】
上記課題を解決する本考案の構成は、以下の通りである。
【００１１】
（１）  請求項１に記載のオーバーシューズは、アッパーのつま先部にのみ本底を設けて構成した。
【００１２】
（２）  請求項２に記載のオーバーシューズは、アッパーをニット生地で形成した。
【００１３】
（３）  請求項３に記載のオーバーシューズは、請求項１又は請求項２に記載の考案において、本底をゴム素材で形成すると共に、該本底の上面に滑り止め部を設けて構成した。
【００１４】
（４）  請求項４に記載のオーバーシューズは、請求項１乃至請求項３いずれかに記載の考案において、アッパーをつま先部と踵部に分割し、つま先部は高さ方向に伸縮可能に形成し、踵部は長さ方向に伸縮可能に形成した。
【考案の効果】
【００１５】
上記のように構成される本考案が、如何に作用して課題を解決するかを図面を参照しながら概説する。
【００１６】
図１は本考案に係るオーバーシューズ１０の斜視図である。オーバーシューズ１０はアッパー２０とアッパー２０のつま先部２１の下部に取り付けた本底３０とで構成される。つまり踵部２２に底は存在しなく、その下部が開放され、図２に示される下部開口部２４が形成されることになる。かように本考案に係るオーバーシューズ１０は、つま先部２１のみに本底３０が存するため、本底３０の端部近傍で折畳むことが可能となる。つまりは、嵩張らず携帯することが容易となるのである。
【００１７】
図２は本考案に係るオーバーシューズ１０を、靴４０に被せた使用状態を示すものである。オーバーシューズ１０の上部開口部２３から靴４０を挿入することで、靴４０にオーバーシューズ１０を装着するものである。この際、靴４０の踵部４１は、下部開口部２４から外部に突出することになる。かように、オーバーシューズ１０が覆うのは、主に靴４０のアッパー部分のみとなり、従来例にかかる図４記載のオーバーシューズ１のように、靴のうえからさらに靴を履いているような外観を呈しないものとなるのである。
【００１８】
また、上述の通り靴４０の踵部４１は、下部開口部２４から外部に突出することになることから、オーバーシューズ１０を装着対象も広範となり、図６に示すようにハイヒール４２に装着したり、その他半靴や長靴等にも装着可能となる。
【００１９】
更には、請求項２に記載の考案においては、アッパー２０をニット生地で形成してあることから、オーバーシューズ１０が装着される靴の形状に、オーバーシューズ１０の形状が類似するもとの成り、着用時にオーバーシューズ１０がより目立たないものとなるのである。
【００２０】
請求項３に記載の考案では、本底３０の上面に複数の滑り止め部３１が設けてある。かかる構成とすることで歩行中に靴４０がずれることを抑制可能となるのである。
【００２１】
請求項４記載の考案では、アッパーをつま先部と踵部に分割し、つま先部は高さ方向に伸縮可能に形成し、踵部は長さ方向に伸縮可能に形成してある。かかる構成とすることでオーバーシューズ１０は高さ方向にも長さ方向にも伸縮可能となり、様々なサイズの靴に装着することが可能となるのである。
【図面の簡単な説明】
【００２２】
【図１】本考案の斜視図
【図２】本考案の使用状態を示す説明図
【図３】本考案の構成部材の概略説明図
【図４】従来例を示す斜視図
【図５】従来例を示す斜視図
【図６】本考案の使用状態を示す説明図
【考案を実施するための形態】
【００２３】
以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。また、図中Ｕは上方向、Ｄは下方向を指すものである。
【００２４】
本考案に係るオーバーシューズ１０は、アッパー２０と本底３０を主な構成要素とする。
【００２５】
アッパー２０は通常の靴に用いられるアッパーと類似形状に形成される。素材としては人工皮革や合成皮革、天然繊維や合成繊維などを用いられる。
【００２６】
請求項２に記載の考案では、アッパー２０をニット生地で形成してある。この際、防水加工や撥水加工を施すことが好ましい。
【００２７】
本底３０は、図３に示されるように、アッパー２０のつま先部２１に縫製されるものであり、大きさはオーバーシューズ１０の設地面を覆う程度のものである。本底３０の素材は、通常の靴に用いられる本底と同様の素材を用いて構わない。すなわち革底、合成底、スポンジ底、ウレタン底、ラバーソール等である。また、人工皮革にゴム底を接着しても構わない。人工皮革は表裏共に起毛しているものなどを利用可能である。
【００２８】
請求項３に記載の考案では、本底３０をゴム素材で形成すると共に、図３に示すように該本底３０の上面に、靴巾方向に複数の切込みを設けることで、滑り止め部３１を設けてある。これにより摩擦が高まり、着用した靴のズレを抑制可能とするものである。なお、前記「上面」とはオーバーシューズ１０を装着した靴の、靴底が接触する面を指すものである。また、滑り止め部３１の形状も、図示したような切込みに限定されず、着用した靴のズレを抑制可能であれば任意の形状、例えば複数の突起を設けるといったものでも構わない。
【００２９】
請求項４に記載の考案では、図３に示すようにアッパー２０を、つま先部２１と踵部２２に分割し、つま先部２１は高さ方向に伸縮可能に形成し、踵部２２は長さ方向に伸縮可能に形成してある。なお図中ＥＸ１が高さ方向、ＥＸ２が長さ方向を示すものである。具体的には素材の伸び方向が、つま先部２１ではＥＸ１方向になるように裁断・縫製し、踵部２２ではＥＸ２方向になるように裁断・縫製してある。なお、図１における縫い目２５がつま先部２１と踵２２の縫製部位である。
【００３０】
また、図３は各構成部材を縫製する前の状態を示すものであり、Ａ１，Ａ２，Ｂ１，Ｂ２，Ｃ１，Ｃ３，Ｄ１，Ｄ２，Ｄ３，Ｄ４，Ｅ１，Ｅ２は縫製部位を示す仮想線である。縫製する順番はＡＢＣＤＥの順である。
【００３１】
つま先部２１と踵部２３とは、図３におけるＡ１とＡ２同士、Ｅ１とＥ２同士を縫製することで一体化するものである。また、つま先部２１は、Ｂ１とＢ２同士を縫製することで立体化するものである。つま先部２１と本底３０は、Ｃ１とＣ２、Ｄ１とＤ２を縫製することで一体化するものである。
【符号の説明】
【００３２】
１０・・オーバーシューズ
２０・・アッパー
２１・・つま先部
２２・・踵部
２３・・上部開口部
２４・・下部開口部
３０・・本底
３１・・切込み
【図１】
0003220701.tif 000003
【図２】
0003220701.tif 000004
【図３】
0003220701.tif 000005
【図４】
0003220701.tif 000006
【図５】
0003220701.tif 000007
【図６】
0003220701.tif 000008